(57)【特許請求の範囲】
【請求項１】
投票用紙を複数枚集積収納可能なホッパーを備え、該ホッパーに集積収納された投票用紙を１枚ずつ繰り出して、投票用紙投出口まで搬送し交付する投票用紙自動交付機であって、
前記投票用紙投出口へ搬送し交付する投票用紙の枚数を集計する交付枚数集計手段と、
手動操作により、前記交付枚数集計手段による交付枚数の集計を禁止しつつ、搬送手段を駆動して、前記ホッパーに集積収納された投票用紙を前記投票用紙投出口へ搬送し、投出させるよう制御部に指示信号を出力する非集計投出指示手段とを備えたことを特徴とする投票用紙自動交付機。
【発明の詳細な説明】
【技術分野】
【０００１】
本発明は、各種の選挙において所定の投票用紙を自動的に且つ次々に交付するための投票用紙自動交付機に関する。
【背景技術】
【０００２】
特許文献１に、ホッパーに集積収納された投票用紙を１枚ずつ繰り出して交付する投票用紙自動交付機が示されている。特許文献２にも同様の投票用紙交付機が示されている。
【０００３】
図５に、上記特許文献１に示された従来の投票用紙自動交付機の本体構造を示す。この投票用紙自動交付機は、交付機本体と、別構造の操作盤とからなるもので、交付機本体は、箱型の本体ケース１０１と、前面カバー１０２と、前端側が本体ケース１０１に支持されて後端側から上下に開閉可能とされた透明体の上部カバー１０３とで構成されている。そして、本体ケース１０１の内部には、投票用紙を立てた状態で略水平方向前後に集積収納するホッパー１０４が配置されている。ホッパー１０４に収納された投票用紙（ｐ）は、給紙ローラ１０５の回転により最前端のものから１枚ずつ繰り出され、投票用紙投出口１０６に投出される。
【０００４】
従来の投票用紙自動交付機はこのような構成を有するものであって、ホッパー１０４上に立てた状態で略水平方向前後に集積収納された投票用紙ｐは、透明体の上部カバー１０３を通して視認することができる。
【０００５】
選挙は、例えば、衆議院小選挙区、比例選挙区および最高裁国民審査の投票を同時に行うなど、同じ投票所において同時に２種以上の選挙を行う場合があり、そうした場合に、選挙の種類別に投票用紙の色を異ならせ、例えば薄い黄色と薄いピンク色など色の異なる用紙に、選挙毎の異なった内容を印刷した投票用紙が用意されるのが普通であって、そうした選挙の種類別に色の異なる投票用紙を、別々の投票用紙自動交付機で交付するに際しては、上記透明体の上部カバー１０３を通して、収納された投票用紙（ｐ）の色や、印刷内容から、投票用紙の種類を視認することが可能で、間違った投票用紙が収納されていないかを確認するようにできる。
【先行技術文献】
【特許文献】
【０００６】
【特許文献１】特開２０００−２５９８７９号公報
【特許文献２】特開２０００−１２２７号公報
【発明の概要】
【発明が解決しようとする課題】
【０００７】
しかしながら、上記従来の投票用紙交付機では、集積収納された投票用紙の束の中に間違った投票用紙が混じっていても、そのまま交付され、間違った投票用紙を投票者が受け取ってしまうおそれがあった。
【０００８】
本発明は、間違った投票用紙の交付を防止するようにできる投票用紙自動交付機を提供することを目的とする。
【課題を解決するための手段】
【０００９】
本発明の投票用紙自動交付機は、投票用紙を複数枚集積収納可能なホッパーを備え、該ホッパーに集積収納された投票用紙を１枚ずつ繰り出して、投票用紙投出口まで搬送し交付する投票用紙自動交付機である。
【００１０】
そして、投票用紙投出口へ搬送し交付する投票用紙の枚数を集計する交付枚数集計手段と、手動操作により、交付枚数集計手段による交付枚数の集計を禁止しつつ、搬送手段を駆動して、ホッパーに集積収納された投票用紙を投票用紙投出口へ搬送し、投出させるよう制御部に指示信号を出力する非集計投出指示手段とを備えたことを特徴とする。
【００１１】
この構成により、ホッパー上の投票用紙が間違った投票用紙である場合に、非集計投出指示手段を操作することによって、その間違った投票用紙を投票用紙投出口へ搬送し、手で抜き取って回収するが、交付枚数として集計はしないようにでき、間違った投票用紙を発見する都度一々ホッパーから直接手で取り除くような手間のかかる作業をしなくても、確実に回収でき、交付枚数も正しく集計ができる。
【発明の効果】
【００１２】
本発明の投票用紙自動交付機は、非集計投出指示手段を操作することによって、間違った投票用紙を投票用紙投出口へ送り、手で抜き取って回収するとともに、交付枚数として集計はしないようにし、確実な回収と、交付枚数の正しい集計を行うようにできる。
【図面の簡単な説明】
【００１３】
【図１】本発明の実施の形態の投票用紙自動交付機の外観図である。
【図２】同実施の形態の投票用紙自動交付機の本体内部構造図である。
【図３】同実施の形態の投票用紙自動交付機の制御系のブロック図である。
【図４】同実施の形態の投票用紙自動交付機の投票用紙排出トレイの斜視図である。
【図５】従来の投票用紙自動交付機の本体内部構造図である。
【発明を実施するための形態】
【００１４】
図１〜図４は、本発明の実施の形態の一例に係るもので、図１は投票用紙自動交付機の外観を示し、図２は投票用紙自動交付機の本体内部構造を示し、図３は制御系の構成を示し、図４は、投票用紙排出トレイの構造を示している。
【００１５】
この例に示す投票用紙自動交付機は、図１に示すように、投票用紙自動交付機本体１と操作盤２とからなり、これら投票用紙自動交付機本体１と操作盤２が接続ケーブル３で接続されている。
【００１６】
投票用紙自動交付機本体１は、箱型の本体ケース１１と、本体ケース１１の前端部下面にヒンジ連結された開閉可能な前面カバー１２と、本体ケース１１の上面および背面上部を覆い、前端側が本体ケース１１に支持されて後端側から上下に開閉可能とされた透明体の上部カバー１３とで構成されている。
【００１７】
前面カバー１２は、投票用紙の紙詰まり等、トラブルが発生したときに開くことができるようにしたものであり、その正面下部中央にはスピーカ前面パネル１２ａが形成されている。また、上部カバー１３の後端下部には、該カバー１３を施錠するための錠１４（図２参照）が設けられている。
【００１８】
本体ケース１１の内部には、図２に示すように、投票用紙（ｐ）を縦積みで集積収納するホッパー４１が配置されている。ホッパー４１は、垂直方向に対し前方にやや傾いて配置された壁体３１の壁面と平行なガイド軸３２に沿って上下方向にスライドするスライド部材３３と一体に形成されたもので、壁体３１の後方壁面に沿って上下方向にスライド可能である。スライド部材３３は、バネ３４により上向きに付勢されている。
【００１９】
投票用紙（ｐ）は、前端部が壁体３１の後部壁面に当接した状態でホッパー４１上に装填され、前方にやや傾いた水平に近い姿勢で、記入面を上にして、上下方向に集積収納される。
【００２０】
ホッパー４１は、投票用紙（ｐ）を例えば１０００枚を最大枚数として集積収納するもので、バネ３４は、ホッパー４１上に上記最大枚数の投票用紙（ｐ）が集積収納されても、ホッパー４１ごと投票用紙（ｐ）を上方へ付勢できるよう調整されている。上方へ付勢された投票用紙（ｐ）は、最上部のものが後述の給紙ローラ４５に押し当てられる。
【００２１】
本体ケース１１内部のホッパー４１上方には、搬送手段である給紙ローラ４５が設けられるとともに、給紙ローラ４５に前側斜め下方から当接する配置で、その当接面に摩擦部材を有する重送防止片４６が設けられている。
【００２２】
ホッパー４１に集積収納された投票用紙（ｐ）は、給紙ローラ４５が回転することによって最上部のものから繰り出され、その際、重送防止片４６の摩擦作用によって重送が防止され、投票用紙（ｐ）は一枚ずつ送り出される。
【００２３】
投票用紙を投出する投票用紙投出口４８は、本体ケース１１の前面上端と前面カバー１２との間に横長スリット状に設けられている。そして、ホッパー４１から投票用紙投出口４８までの間に搬送路４９が形成されている。
【００２４】
給紙ローラ４５は搬送路４９の入口に位置する。そして、投票用紙投出口４８に至る搬送路４９の途中には、給紙ローラ４５によりホッパー４１から繰り出された投票用紙（ｐ）を投票用紙投出口４８まで搬送するため、給紙ローラ４５とともに搬送手段を構成する複数個（図示の例では３個であるが、これに限らない。）の搬送ローラ５０ａ、５０ｂ、５０ｃが設けられるとともに、これら搬送ローラ５０ａ、５０ｂ、５０ｃのそれぞれと対をなして付勢ローラ５１ａ、５１ｂ、５１ｃが設けられている。
【００２５】
搬送ローラ５０ａ、５０ｂ、５０ｃは、いずれも本体ケース１１に設けられたものである。一方、付勢ローラ５１ａ、５１ｂ、５１ｃは、一部（５１ａ、５１ｂ）が後述の投票用紙排出トレイ５５に、他（５１ｃ）は前面カバー１２の背面に設けられている。
【００２６】
搬送路４９は、給紙ローラ４５と重送防止片４６の間から、搬送ローラ５０ａと付勢ローラ５１ａの間を通り、さらに搬送ローラ５０ｂと付勢ローラ５１ｂの間を経て、本体ケース１１の前面まで延び、次いで、本体ケース１１の前面で下から上に、搬送ローラ５０ｃと付勢ローラ５１ｃの間を経て、投票用紙投出口４８に至っている。
【００２７】
給紙ローラ４５および搬送ローラ５０ａ，５０ｂ，５０ｃは、ベルト等で後述の駆動モータに連結されており、駆動モータにより回転駆動される。
【００２８】
本体ケース１１の内部には、また、搬送異常の投票用紙や規格外用紙、あるいは間違って収納された収納用紙を排出するための排出搬送路５２が、最下流の搬送ローラ５０ｃと付勢ローラ５１ｃの下流で搬送路４９から分岐して設けられ、その分岐部分には、切換レバーソレノイド５３（図３参照、図２には図示せず）によって投票用紙（ｐ）の搬送を搬送路４９側（実線位置）と排出搬送路５２側（破線位置）とに切り換え可能な切換レバー５４（排出搬送手段）が設けられている。
【００２９】
そして、本体ケース１１の内部の、上部カバー１３を通して見える前端部上方の位置に、投票用紙排出部として、切換レバー５４により排出搬送路５２に導かれた投票用紙を保留する投票用紙排出トレイ５５が設けられている。
【００３０】
投票用紙排出トレイ５５は、図４に示すように、底板部５５ａとその左右両側の側板部５５ｂ、５５ｂとが一体に形成されたもので、常時は、図２に実線で示す動作位置にあって、底板部５５ａの下面が搬送路４９の上面を形成するものとなっている。そして、その底板部５５ａには、左右両側に各一対の切り欠き８１ａ、８１ｂ（図４には手前側の切り欠き８１ａ、８１ｂのみ示し、反対側の切り欠き８１ａ、８１ｂは図示していない）がそれぞれ前後に並ぶ配置で設けられ、上記左右両側の各一対の切り欠き８１ａ、８１ｂを通して搬送路４９に臨むよう、板バネ８０、８０によって支持された各一対の付勢ローラ５１ａ、５１ｂが底板部５５ａの上面に取り付けられている。
【００３１】
また、投票用紙排出トレイ５５の底板部５５ａの上面には、側板部５５ｂ、５５ｂと平行に一対の台形のリブ８２、８２が設けられている。排出搬送路５２を経て投票用紙排出トレイ５５に導かれた投票用紙は、これら一対のリブ８２の上に載置される。
【００３２】
また、投票用紙排出トレイ５５の底板部５５ａには、両側の側板部５５ｂ、５５ｂと、一対の台形のリブ８２、８２に挟まれて、３箇所に透視穴８３が形成されている。これら３箇所の透視穴８３は、搬送路４９を通過する投票用紙（ｐ）の色や記載内容（投票用紙の種類）を、透明体の上部カバー１３を通して視認できるようにしたものである。
【００３３】
投票用紙排出トレイ５５は、両側の側板部５５ｂ、５５ｂの前端に設けられた孔８４、８４に、最下流側の付勢ローラ５０ｃの回転軸が挿通されることにより支持されたもので、後端側を持って上下に回動可能である。搬送路４９に用紙が詰まった場合には、投票用紙排出トレイ５５を上方に回動することによって搬送路４９を開放し、用紙を取り除くことができる。
【００３４】
本体ケース１１には、また、搬送路４９の途中に、重送等の搬送異常や、規格外用紙等の用紙自体の異常を検知するための異常検知センサ５６が設けられ、投票用紙投出口４８の付近には、投出された投票用紙（ｐ）が投票者によって抜き取られたかどうかを検知する抜取センサ５７が設けられている。抜取センサ５７は、ホッパー４１から搬送路４９に新たな投票用紙（ｐ）を送り込むためのタイミングを計るものである。
【００３５】
ホッパー４１の後部下方には、上部カバー施錠センサ５８が設けられている。また、上部カバー１３後端下部の錠１４の内端には、施錠に連動して回動するよう検知片５９が取り付けられている。上部カバー施錠センサ５８は、この検知片５９によって施錠を検知する。
【００３６】
前面カバー１２の内部下方には、本体ケース１１側に突出するようカバー開放検知用の検知片（図示せず）が設けられている。そして、本体ケース１１の内部には前面カバー開放センサ６１（図３参照、図２には図示せず）が設けられている。開放センサ６１は、検知片によって前面カバー１２の開放を検知する。
【００３７】
また、この投票用紙自動交付機は、例えば投票者が投票用紙を抜き取ろうとして投票用紙投出口４８に手を近づけたときに、その手の接近を検知して選挙種別や投票用紙の記入方法等の案内データを音声出力するようにしたものであって、本体ケース１１の内部上方位置に、投票用紙投出口４８に接近する手を検知するよう物体センサ６２が配置され、そのセンサ開口部６２ａ（図１参照）が、本体ケース１１の前端部上面の投票用紙投出口４８直背後に設けられている。これにより、投票者が投票用紙投出口４８から投票用紙（ｐ）を抜き取ろうとすると、その投票者の手が接近したことが物体センサ６２により検知される。この物体センサ６２は、投票者の手だけでなく、係員が手を近づけても検知し、また、用紙等を近づけても検知するものである。物体センサ６２としては、手などの人体を検知するだけのもの（例えば赤外線センサ）であってもよい。
【００３８】
前面カバー１２の内部には、スピーカ前面パネル１２ａの後方に、上記案内データを音声出力する音声発生手段としてのスピーカ６３が設けられている。
【００３９】
操作盤２には、各種設定を行う選択モード、設定内容、投票率等を表示する表示部２１と、設定モードや表示モードの選択を行うモード選択ボタン２２と、各種設定を決定する決定ボタン２３が設けられているほか、投票用紙（ｐ）を交付させるための交付動作信号を送出するよう入力操作する操作手段として、投票用紙（ｐ）を投票用紙投出口４８に投出させるための一対の投出ボタン２４ａ、２４ｂが設けられ、さらに、後述する排出指示手段としての排出ボタン９１と、交付枚数減算指示手段としての減算ボタン９３とが設けられている。
【００４０】
一対の投出ボタン２４ａ，２４ｂは、投票者の性別によって使い分けることにより、性別による投票率の集計が可能となるようにしたものである。また、この一対の投出ボタン２４ａ，２４ｂは、各種設定を行う場合に画面の切り換えボタンとしても利用される。
【００４１】
この投票用紙自動交付機には、マイクロコンピュータを用いた制御部７０が設けられている。そして、図３に示すように、制御部７０には、選挙種別や投票用紙の記入方法等の案内データを記憶する記憶装置７１と、時刻を計測する時計７２が接続され、また、給紙ローラ４５および搬送ローラ５０ａ、５０ｂ、５０ｃを回転させるための駆動モータ７３が接続され、スピーカ６３、切換レバーソレノイド５３、物体センサ６２、異常検知センサ５６、前面カバー開放センサ６１、上部カバー施錠センサ５８および抜取りセンサ５７がそれぞれ接続され、また、各種設定及び操作を行う操作盤２が接続されている。
【００４２】
制御部７０は、物体センサ６２、異常検知センサ５６、前面カバー開放センサ６１、上部カバー施錠センサ５８および抜取りセンサ５７からそれぞれのセンサ出力を受け、また、操作盤２からの各種入力を受けて、記憶装置７１に記憶された各種案内データと、時計７２により計測される時刻を読み出し、駆動モータ７３の回転を制御し、スピーカ６３の音声出力を制御し、切換レバーソレノイド５３を制御し、また、操作盤２に表示用のデータを送出する。それにより、投票用紙自動交付機が所定の動作を行う。
【００４３】
制御部７０は、また、集計手段としての機能も有し、投出ボタン２４ａ、２４ｂが押下されるごとに、交付枚数を１ずつ加算し、合計の交付枚数を集計し、記憶装置７１に記憶する。
【００４４】
この投票用紙自動交付機の具体的動作はつぎのとおりである。
【００４５】
ホッパー４１に投票用紙（ｐ）を収納し、電源を入れると、制御部７０が給紙ローラ４５および搬送ローラ５０ａ、５０ｂ、５０ｃを回転させ、ホッパー４１内の投票用紙（ｐ）は、重送防止片４６の摩擦作用を受けて給紙ローラ４５により最上部のものから一枚ずつ搬送路４９に送り込まれる。
【００４６】
搬送路４９に送り込まれた投票用紙（ｐ）は、異常検知センサ５６により、重送等の搬送異常や規格外等の用紙自体の異常があるかどうかについてチェックが行われる。そして、異常が検知されなければ、投票用紙（ｐ）は、搬送ローラ５０ａ、５０ｂ、５０ｃによって、先端が切換レバー５４と投票用紙投出口４８の間に達した位置（待機位置）まで搬送される。こうして投票用紙（ｐ）が待機位置に達した状態（待機状態）になると、操作盤２の投出ボタン２４ａ、２４ｂの操作が有効な状態（入力可能な状態）となる。待機状態の投票用紙（ｐ）は、操作盤２の投出ボタン２４ａ、２４ｂが操作されるまでその位置で待機する。投票用紙が待機状態となり、操作盤２の投出ボタン２４ａ、２４ｂが入力可能となると、投出ボタン２４ａ、２４ｂを点灯させるようにするのがよく、そうすることにより、投票用紙が待機状態となり、操作手段による交付動作信号の入力が可能になったことが直ちに判り、投票用紙を迅速かつ確実に交付できる。
【００４７】
また、搬送路４９に送り込まれた投票用紙（ｐ）について、異常検知センサ５６により異常が検知されると、切換レバーソレノイド５３により切換レバー５４が排出搬送路５２側に切り換えられて、その投票用紙（ｐ）は投票用紙排出トレイ５５に排出され、ホッパー４１から搬送路４９に新たな投票用紙（ｐ）が送り込まれる。そして、その新たに送り込まれた投票用紙（ｐ）についても同様に異常検知センサ５６によるチェックが行われ、異常が検知されなくなるまで同じ動作が繰り返される。そして、異常が検知されなくなると、切換レバーソレノイド５３により切換レバー５４が投票用紙投出口４８側に切り換えられ、投票用紙（ｐ）は上記待機位置まで搬送され、待機状態となる。
【００４８】
ただし、前面カバー１２が開放されていることが、前面カバー開放センサ６１によって検知されたとき、また、上部カバー１３が施錠されていないことが、上部カバー施錠センサ５８により検知されたときには、異常検知センサ５６によるチェックと、そのチェック結果による上記一連の動作は全てキャンセルとなる。
【００４９】
そして、前面カバー１２が開放されていることが、前面カバー開放センサ６１によって検知されたときは、操作盤２による入力が禁止され、記憶装置７１に記憶されている前面カバー開放報知の案内データがスピーカ６３から音声出力されて、前面カバー１２の開放が報知される。また、上部カバー１３が施錠されていないことが、上部カバー施錠センサ５８により検知されたときは、操作盤２による入力が禁止される。
【００５０】
また、投票用紙（ｐ）が上記待機状態にあるときに、カバー１３の錠１４が解錠されると、制御部７０が駆動モータ７３を逆回転させ、それにより、搬送ローラ５０ａ，５０ｂ，５０ｃが逆回転し、投票用紙（ｐ）は切換レバー５４より手前の位置まで戻される。そして、切換レバーソレノイド５３を介して切換レバー５３が排出搬送路５２側に切り換えられ、次いで、駆動モータ７３の回転が正回転に切り換えれて、搬送ローラ５０ａ，５０ｂ，５０ｃが正回転し、投票用紙（ｐ）は投票用紙排出トレイ５５へ排出される。
【００５１】
投票用紙（ｐ）が待機状態で、操作盤２の投出ボタン２４ａ，２４ｂが入力可能であるときに、操作盤２の投出ボタン２４ａ，２４ｂが操作されると、制御部７０は搬送ローラ５０ｂ、５０ｃを回転させ、それにより、投票用紙（ｐ）は待機位置から投票用紙投出口４８へと投出される。また、このとき、制御部７０は、投出ボタン２４ａ，２４ｂの入力を禁止する。そして、投票用紙投出口４８に投出された投票用紙（ｐ）を抜き取ろうとして投票者が手を近付けると、その投票者の手が物体センサ６２によって検知され、その検知信号を受けて、制御部７０が、記憶装置７１に記憶されている選挙種別や投票用紙の記入方法等についての案内データの中から、設定されている案内データを読み出し、その案内データがスピーカ６３から音声出力される。
【００５２】
そして、投票用紙投出口４８に投出された投票用紙（ｐ）が抜き取られると、投票用紙（ｐ）が抜き取られたことが抜取センサ５７によって検知され、その検知信号を受けて、制御部７０が駆動モータ７３を回転させ、給紙ローラ４５および搬送ローラ５０ａ、５０ｂ、５０ｃが回転して、ホッパー４１から新たな投票用紙（ｐ）が搬送路４９内へと送り込まれる。その後の動作は上述の繰り返しとなる。
【００５３】
記憶装置７１には、案内データとして、選挙種別および投票用紙の記入方法が記憶され、かつ、それら案内データが、男声と女声の少なくとも２種類以上の声色で記憶されている。そして、操作盤２の操作により、音声出力する案内データの設定と、音声の設定が可能である。
【００５４】
選挙種別および記入方法の設定では、操作盤２のモード選択ボタン２２を押して、各種モードを選択し、表示部２１の画面を見ながら、選挙種別および記入方法を設定し、また、音声を設定する。
【００５５】
この投票用紙自動交付機のホッパー４１には、投票用紙（ｐ）が略水平な姿勢で上下方向に集積収納され、最上部の投票用紙（ｐ）は、透明な上部カバー１３を通して、その色や印刷内容を確認することができる。そのため、間違った投票用紙（ｐ）が収納されていた場合は、錠１４を開錠し、上部カバー１３を開放して、間違った投票用紙（ｐ）を取り除くことができる。ホッパー４１内の投票用紙（ｐ）は、その最上端の前端に給紙ローラ４５と重送防止片４６が当接するのみで、最上端の投票用紙（ｐ）の上面のほぼ全面が上部カバー１３を通して視認可能であって、正しい投票用紙か間違った投票用紙かの判定が容易である。
【００５６】
そして、透明な上部カバー１３を通して視認できるホッパー４１の最上部の投票用紙（ｐ）が間違った投票用紙である場合は、その都度、上部カバー１３を開いて、その間違った投票用紙を取り除くことにより、間違った投票用紙を交付しないようにできる。
【００５７】
また、ホッパー４１上の最上部の投票用紙（ｐ）が間違った投票用紙であることを視認により確認した場合に、排出指示手段として操作盤２に設けた排出ボタン９１を押下操作することによって、切換レバーソレノイド５３により搬送路を排出搬送路５２側に切り換えて、間違った投票用紙を強制的に投票用紙排出トレイ５５に排出させるようにすることもできる。その際、制御部７０は、上記待機位置に待機させている投票用紙（ｐ）を先に投票用紙排出トレイ５５に排出させ、その後、ホッパー４１の最上部の投票用紙を排出させる。
【００５８】
また、ホッパー４１の最上部の投票用紙が間違った投票用紙であることを視認しながら、あるいは看過して、通常の操作通り、投出ボタン２４ａまたは２４ｂを押下してしまったときは、間違った投票用紙を投出したにもかかわらず、正しい投票用紙が１枚交付されたものとして集計手段は交付枚数を１枚加算してしまう。そこで、そのような場合は、交付枚数減算指示手段としての減算ボタン９３を押下することにより、集計した交付枚数を減算する。
【００５９】
投票用紙排出トレイ５５には、上述のように透視穴８３が設けられており、搬送路４９を搬送される投票用紙は、透明な上部カバー１３の上から透視穴部８３を通して、その色や印刷内容を確認することができる。よって、次に交付する投票用紙が正しい投票用紙であることを確認しつつ交付操作を行うことができる。  なお、上記実施の形態では、次に交付する投票用紙（ｐ）を、その先端が切換レバー５４と投票用紙投出口４８の間に達した位置まで繰り出して待機させるようにしているが、予めそうした位置まで繰り出すのではなく、投出ボタン２４ａ、２４ｂを操作することによって初めてホッパー４１から繰り出し、ホッパー４１から投票用紙投出口４８まで直接搬送するようにしても良い。そうした場合、今回投出ボタン２４ａ、２４ｂを操作して投出しようとしている投票用紙は、透明な上部カバー１３を通して視認できるホッパー４１の最上部の投票用紙であって、その都度、投票用紙の色や印刷内容を確認しながら交付することができ、確実に正しい投票用紙のみを交付することができる。
【００６０】
また、上記実施の形態では、ホッパー４１に間違った投票用紙が収納されていると視認すると、排出ボタン９１の押下により、その投票用紙を一旦投票用紙排出トレイ５５に排出するが、ホッパー４１に間違った投票用紙が収納されていると視認したときは、その投票用紙を即座に取り出して確認したいと思うことがあり、その場合には、上部カバー１３を開いて投票用紙排出トレイ５５から投票用紙（ｐ）を取り出さないと確認できない。そこで、排出指示手段としての排出ボタン９１に代えて、非集計交付指示手段としての非集計投出ボタン（図示せず）を設け、その非集計投出ボタンを押下することにより、ホッパー４１最上部の間違った投票用紙を投票用紙投出口４８まで搬送して、手で抜き取ることができる状態にするとともに、交付枚数としての集計はしないようにしてもよい。
【００６１】
そうした非集計投出ボタンを設けた場合においても、ホッパー４１の最上部の投票用紙が間違った投票用紙であることを視認しながら、あるいは看過して、通常の操作通り、投出ボタン２４ａまたは２４ｂを押下してしまったときは、間違った投票用紙を投出したにもかかわらず、正しい投票用紙が１枚交付されたものとして集計手段は交付枚数を１枚加算してしまうので、交付枚数減算指示手段としての減算ボタン９３を押下することにより、集計した交付枚数を減算する。
【００６２】
また、上記実施の形態では、投票用紙を厳格に管理するため、ホッパー４１に集積収納された投票用紙を外部から隔離する上部カバー１３を設けて、錠１４により施解錠可能としたものにおいて、ホッパー４１に集積収納した最上部の投票用紙の色や印刷内容が確認できるように、上部カバー１３を透明にしているが、他に、上部カバー１３自体は不透明とし、少なくともホッパー４１最上部の投票用紙が見えるように、上部カバー１３に透孔などの透視部を設けてもよく。また、例えば本体ケース１１を透明体としたり、本体ケース１１の一部に透孔などの透視部を設けるなど、上部カバー１３以外の部分に透視部を設けてもよい。また、上部カバー１３を設ける要求が低い場合は、上部カバー１３を無くし、ホッパー４１に集積収納された投票用紙を直接視認可能な構成としてもよい。
【００６３】
また、上記実施の形態では、投票用紙排出トレイ５５の底部５５ａに透視穴８３を形成し、搬送路４９を通過する投票用紙（ｐ）の色や記載内容（投票用紙の種類）を確認することができるようにしたが、搬送路４９を通過する投票用紙（ｐ）の色や記載内容（投票用紙の種類）を確認できるようにするためには、他に、本体ケース１１や前カバー１２の一部または全てを透明体で構成することもでき、そうすることにより、一層確認が容易となり、間違いのない交付が可能となる。特に、上記実施の形態のように、投票用紙を先端が切換レバー５４と投票用紙投出口４８の間に達した位置で待機させる場合、前カバー１２を透明な樹脂材料で構成すると、待機位置にある投票用紙の色や印刷内容を容易に確認でき、投票用紙を待機させることによる交付時間短縮の効果を維持したまま、次に交付される投票用紙の種類を確認できるという効果が得られる。
【００６４】
また、上記実施の形態では、ホッパー４１上で投票用紙は記入面を上にして集積収納し、最上部の投票用紙の色ばかりでなく印刷内容も確認できるようにしているが、投票用紙は記入面を下にしてホッパー４１上で集積収納してもよく、その場合も、色の確認はできるので、間違った投票用紙を視認することが可能である。１つの投票所において同時に２種以上の選挙が行われる場合、間違った投票用紙とは、同時に行われている別の種類の選挙用の投票用紙である蓋然性が高い。上述のように、１つの投票所において同時に２種以上の選挙が行われる場合は、それぞれの種類の選挙ごとに、異なった色の投票用紙を使用するようになっているので、投票用紙の色だけからでも正しい投票用紙であるか否かを確認できる可能性が高い。
【符号の説明】
【００６５】
１  投票用紙自動交付機本体
２  操作盤
１３  上部カバー（蓋体）
２４ａ，２４ｂ  投出ボタン
４１  ホッパー
４５  給紙ローラ
４８  投票用紙投出口
４９  搬送路
５０ａ，５０ｂ，５０ｃ  搬送ローラ
５２  排出搬送路
５４  切換レバー（排出搬送手段）
５５  投票用紙排出トレイ（投票用紙排出部）
７０  制御部
９１  排出ボタン（排出指示手段）
９３  減算ボタン（交付枚数減算指示手段）
ｐ  投票用紙
【図１】
0005529315.tif 000002
【図２】
0005529315.tif 000003
【図３】
0005529315.tif 000004
【図４】
0005529315.tif 000005
【図５】
0005529315.tif 000006